(57)【要約】反射装置を提供する。反射装置は、反射層及び観察者の歯の少なくとも一部分の歯の色の変化をシミュレートするイメージを形成する光を反射する第一領域を含む。
2004506459.tif 000002
【特許請求の範囲】
【請求項１】
歯の色の変化をシミュレートするための反射装置であって、
反射層と、
歯の色の第一の変化をシミュレートするために、それに入射される光の１つ以上のスペクトル特性を変化させる前記反射層の一部分に関連する第一領域、及び歯の色の第二の変化をシミュレートするために、それに入射される光の１つ以上のスペクトル特性を変化させる前記反射層の一部分に関連する第二領域と
を含む反射装置。
【請求項２】
前記第一領域が図５の曲線の１つと類似したスペクトル曲線を有する光を反射する、請求項１に記載の反射装置。
【請求項３】
前記第二領域が図６の曲線の１つと類似したスペクトル曲線を有する光を反射する、請求項１に記載の反射装置。
【請求項４】
前記第一領域の入射光と反射光の間のデルタＬ値が約０〜約８０である、請求項１に記載の反射装置。
【請求項５】
前記第一領域の入射光と反射光の間のデルタａ＊値が約−２０〜約２０である、請求項４に記載の反射装置。
【請求項６】
前記第一領域の入射光と反射光の間のデルタｂ＊値が約−５５〜約１０である、請求項５に記載の反射装置。
【請求項７】
前記第一及び第二領域とは別個の少なくとも１つの追加的な領域をさらに含む請求項１に記載の反射装置であって、該少なくとも１つの追加的な領域が前記第一及び第二領域のＬａ＊ｂ＊値の間にあるＬａ＊ｂ＊値を有する光を反射する反射装置。
【請求項８】
前記第一領域がスペクトル層をさらに含む、請求項１に記載の反射装置。
【請求項９】
前記スペクトル層がフィルターである、請求項８に記載の反射装置。
【請求項１０】
前記スペクトル層がコーティングである、請求項８に記載の反射装置。
【請求項１１】
前記フィルターが取り外し可能である、請求項９に記載の反射装置。
【請求項１２】
前記第一領域が移動可能である、請求項１に記載の反射装置。
【請求項１３】
前記第一領域が移動する、請求項１２に記載の反射装置。
【請求項１４】
歯の色の変化をシミュレートするための反射装置であって、
反射層と、
歯の色の第一の変化をシミュレートするためにそれへ入射される光の１つ以上のスペクトル特性を変化させる前記反射層の一部分に関連する第一領域と
を含み、
前記反射層のその他の部分が入射光を変化させないで反射する、反射装置。
【請求項１５】
前記第一領域が図５の曲線の１つと類似したスペクトル曲線を有する光を反射する、請求項１４に記載の反射装置。
【請求項１６】
前記第一領域が図６の曲線の１つと類似したスペクトル曲線を有する光を反射する、請求項１４に記載の反射装置。
【請求項１７】
前記第一領域の入射光と反射光の間のデルタＬ値が約０〜約８０である、請求項１４に記載の反射装置。
【請求項１８】
前記第一領域の入射光と反射光の間のデルタａ＊値が約−２０〜約２０である、請求項１７に記載の反射装置。
【請求項１９】
前記第一領域の入射光と反射光の間のデルタｂ＊値が約−５５〜約１０である、請求項１８に記載の反射装置。
【請求項２０】
前記第一領域とは別個の少なくとも１つの追加的な領域をさらに含む請求項１４の反射装置であって、少なくとも１つの追加的な領域が前記第一領域のそれとは異なるＬａ＊ｂ＊値を有する光を反射する反射装置。
【請求項２１】
前記第一領域がスペクトル層をさらに含む、請求項１４に記載の反射装置。
【請求項２２】
前記スペクトル層がフィルターである、請求項２１に記載の反射装置。
【請求項２３】
前記スペクトル層がコーティングである、請求項２１に記載の反射装置。
【請求項２４】
前記フィルターが取り外し可能である、請求項２２に記載の反射装置。
【請求項２５】
前記第一領域が移動可能である、請求項１４に記載の反射装置。
【請求項２６】
前記第一領域が移動する、請求項２５に記載の反射装置。
【請求項２７】
前記第一領域が回転する、請求項２５に記載の反射装置。
【請求項２８】
ディスプレー装置であって、
フレームと、
前記フレームに関連し且つ反射層を有する反射装置と、
歯の色の変化をシミュレートするための前記反射装置と協働する手段と
を備えるディスプレー装置。
【請求項２９】
前記手段が図５又は６の曲線の１つと類似したスペクトル曲線を有する光源である、請求項２８に記載のディスプレー装置。
【請求項３０】
前記手法が前記反射装置の少なくとも１つの領域である、請求項２８に記載のディスプレー装置。
【請求項３１】
前記の少なくとも１つの領域がスペクトル層をさらに含む、請求項３０に記載のディスプレー装置。
【請求項３２】
多数の歯を白くするキットをさらに備える、請求項２８に記載のディスプレー装置。
【請求項３３】
前記反射装置が前記フレームに取り外し可能に関連する、請求項２８に記載のディスプレー装置。
【請求項３４】
キットであって、
歯を白くするシステムと、
反射装置と、
歯の色の変化をシミュレートする前記反射装置に使用する手段と
を含むキット。
【請求項３５】
前記歯を白くするシステム、前記反射装置、及び前記手段を保存するパッケージをさらに備える、請求項３４に記載のキット。
【請求項３６】
前記手段が図５又は６の曲線の１つと類似したスペクトル曲線を有する光源である、請求項３４に記載のキット。
【請求項３７】
前記手段が前記反射装置の領域である、請求項３４に記載のキット。
【請求項３８】
歯の色の変化をシミュレートする方法であって、
歯の色の第一の変化をシミュレートするために、それに入射される光の１つ以上のスペクトル特性を変化させる前記反射層の一部分に関連する第一領域、及び歯の色の第二の変化をシミュレートするために、それに入射される光の１つ以上のスペクトル特性を変化させる前記反射層のその他の部分に関連する第二領域を含む反射装置を用い、
前記第一領域又は前記第二領域のいずれかからの光を反射することと
を含む方法。
【発明の詳細な説明】
【０００１】
（本発明の技術分野）
本発明は歯の色の変化をシミュレートする製品に関し、更に詳細には、本発明は歯を白くする以前、間、及び／又は以後に観察者の歯をシミュレートするイメージを形成するために、それに入射される光の１つ以上のスペクトル特性を変化させる領域を有する鏡を備える反射装置に関する。
【０００２】
（発明の背景）
現在、増白剤含有歯磨き粉、外来診療時に歯科医によって施される歯を白くするシステム、及び歯科医及び専門でない人から供給される薬局で入手可能な家庭用キットなど多くの歯を白くするプログラムが市場において入手可能である。歯を白くすることは一般的になってきたが、多くの消費者は入手可能な製品を使っていないか、またはその利益を十分に得ていない。例えば、消費者の中には汚れた又は黄色くなった歯は、その人の外観に悪影響を与え、白くされた歯及び明るい笑顔はその人の外観を劇的に改善し得るということを理解していない。白くするプログラムを始めた他の消費者は、白くする工程が完了する以前にやめてしまうことが多い。多くの歯を白くするプログラムは時間を消費する処方計画を必要とする。即効性が見られない消費者は、落胆し処方計画を完了しない可能性がある。また、一度歯が白くなると、白さの毎日の変化は小さいが、必然的にゆっくりと白さ及び輝きをそのうち徐々に失う。それゆえに、毎日の変化が小さいので、消費者は歯を白くする処方計画を再適用することが有益であることを、十分理解しない可能性がある。
【０００３】
歯の色の変化を説明する例図を提供することは、当業界において既知である。例えば、歯を白くするシステムは、歯を白くする前及び歯を白くした後をシミュレートする、使用前使用後のイメージを明示する先のユーザーの例図又は写真を含んでもよい。加えて、歯を白くするシステムには、消費者の歯の色の可能なスペクトルをシミュレートする、色のスペクトルの変化を有する物質のストリップを含むものもある。当該ストリップは白くする工程の間に色の変化を測定するために、白くする工程の以前、間、及び以後に消費者の歯の近くに保持される。しかしながら、これらのどれも消費者自身の歯が白くなる状態をシミュレートするものではない。
このように、消費者自身の歯の色の外観における変化をシミュレートする製品を提供する必要性がある。さらに、汚れた歯の美しくない外観及び白くなった歯の魅力的な外観を明示する製品を提供する必要性がある。さらにまた、歯を白くする前、間、及び後の観察者の歯をシミュレートする製品の必要性がある。さらにまた、時間及び費用にかかわらず、歯を白くするプログラムの使用及び完全な遵守を促進し奨励する製品を提供する必要性がある。また、使用者が単一のイメージで歯を白くする多様な段階を比較できる製品を提供する必要性がある。
【０００４】
（発明の概要）
反射装置を提供する。反射装置は、反射層及び観察者の歯の少なくとも一部分の歯の色の変化をシミュレートするイメージを形成するために、光を反射する第一領域を含む。
【０００５】
（好適な実施形態の詳細説明）
本発明の好ましい本実施形態に対しての参照をこれから詳細に述べるが、添付図面で例示される例の中の同様の数字は、図の全体に渡って同一の要素を指し、同一の最後の２つの数字を有する要素（例えば、２０と１２０）又はアルファベット接尾辞（例えば、２４及び２４Ａ）は同類の要素を意味する。以降により十分に議論されているように、本発明は同じ物を使用する反射装置及び方法を含む製品を対象としている。反射装置は、好ましくは観察者の歯の少なくとも一部分の色の外観における変化をシミュレートするイメージを反射する、少なくとも一つの領域を有する。より好ましくは、反射装置の当該領域は、主として入射光の黄及び／又は青の波長の量及び／又は特性を変化させるが、以降により十分に議論されるように、他の波長も変化させてもよい。このように、観察者は歯の色のあらかじめ決められた変化（例えば、白くなった又は黄色い歯）を比較及び対比することができる。本明細書で使用する時、用語「歯（複数）」は歯の一部分と同様に単数を含むことを意図し、「歯（単数）」は複数と同様に歯の部分も含むことを意図する。
【０００６】
歯の色の外観における変化は１つ以上の予め決められた光の波長（すなわち、約３８０ｎｍ〜約７７０ｎｍの電磁性スペクトルの波長）を選択的に反射、散乱、及び／又は吸収する当該領域によって成し遂げることができる。単一の波長又は細い領域の波長の光である単色性の光は、純粋色又はスペクトル色として知覚される。例えば、波長６８０ｎｍを有する光はスペクトル赤色として知覚されるが、４１０ｎｍの波長を有する光はスペクトル紫色として知覚される。波長の混合している光は非スペクトル色として知覚される。例えば、７００ｎｍの波長を有する赤スペクトル光及び４００ｎｍの波長を有する紫スペクトル光の混合している光は、非スペクトル紫色として知覚される。
【０００７】
ほとんどの光は波長の混合物であるが、光は色合いを有するものとして知覚されるような優勢を占める波長を有してもよく、波長が優勢である程度は飽和度として既知である。例えば、図１に図示するスペクトル分布を有する光は、青の色合いを有するものとして知覚される。スペクトル色に達するまで、スペクトル分布曲線の上昇及び下降又は傾斜が急勾配になるとき、色合いはより飽和度に近くなり、本質的に特定の波長における垂直線として示される。
図２に示すように、スペクトル色及び非スペクトル色は１９３１エクレアラグ国際委員会（Ｃｏｍｍｉｓｓｉｏｎ Ｉｎｔｅｒｎａｔｉｏｎａｌｅ ｄｅ ｌ’Ｅｃｌａｉｒａｇ）（ＣＩＥ）ＸＹＺ色度図に示されており、それぞれの色は座標平面における特定の地点に割り当てられ、実線はスペクトル色を示す。しかし、ＣＩＥ　ＸＹＺ色度図は明度を考慮していない。これは１９６７　ＣＩＥ　ＬＡＢ色空間によって補修され、そのモデルが図３に示されている。Ｌ値は明度を測定し、完全な白の１００の値から黒の０まで変化する。ａ＊値は、正のとき赤、ゼロのとき灰色、負のとき緑を評価する。ｂ＊値は、正のとき黄、ゼロのとき灰色、負のとき青を評価する。
【０００８】
図４を参照すると、本発明に従って製造される鏡２０の形態の好ましい反射装置について以下に記載する。鏡２０は、歯のイメージを知覚し得るように、そこに入射される光のいくらかを（拡散反射とは異なるように）鏡面反射する反射層２２を備える。鏡２０は、反射層２２の第一部分２３に関連し、歯の色の変化の知覚を達成するために、それに入射される光の１つ以上のスペクトル特性を変化させる少なくとも１つの領域２４も有する。このように、部分２５は実際の（又はかなり実際に近い）歯の色を観察者が見るように実質的に変化しない入射光を単に反射するが、領域２４は観察者が変化した歯の色を見るためにスペクトル特性の変化した光を反射する。本明細書で使用するとき、「スペクトル特性」は光の実際の又は知覚される色組成物を定量するいずれかの多様な値を言及することを意図する。このように、スペクトル特性としては、Ｌａ＊ｂ＊値、スペクトル曲線値（例えば、波長及び反射パーセント）、及び合計、差、積、比率などのその数学的処理が挙げられるが、これに限定されない。反射層２２は、銀化表面、クロム化表面、金属ホイル、金属化ポリマーフィルムを有するガラスプレートの形態、又は歯のイメージを知覚させるために望ましい反射特性を提供できるいずれかの他の形態で提供されることができる。
【０００９】
領域２４に入射する光のスペクトル特性は、歯を白くする以前、間、及び／又は以後に観察者の歯をシミュレートするイメージを形成するために、あらかじめ決められた手法で変えられる。白くされた歯の色の外観における変化をシミュレートするイメージを反射するために、一般的には鏡２０の領域２４から反射される光は、入射光の値から増加するＬ値、白くする以前の汚れた歯が緑がかっているか又は赤味がかっているかに依存して増加又は低減するａ＊値、及び入射光と比較したときに低減するａｂ＊値を有する。これは白くされた外観のシミュレートについての一般的な関係であるが、もしＬ値の増加の大きさが十分に大きければｂ＊値も増加し得る。逆に、ｂ＊値の低減の大きさが十分に大きければＬ値も低減し得る。実際に汚れた歯の色は、異なる地域における消費者の食事によって変化するので、ａ＊値の増加又は低減の選択は地域に依存し得る。例えば、汚れた歯は米国においては茶色又は赤みがかっているが、中国においては緑がかっている。このように、領域２４は相当する地域に基づいて白くされる歯の望ましい色を考慮して、入射光のａ＊値を適切に修正するように形成することができる。
【００１０】
鏡２０は、白くされた歯の外観をシミュレートするのに使用できるが、観察者に対して白くする改善の等級を補強するために黄色い歯の外観についてシミュレートするのにも使用できる。汚れた又は黄色くなった歯の色の外観における変化をシミュレートするイメージを形成するために、一般的には鏡２０の領域２４から反射される光は、入射光と比較して低減するＬ値、白くする前の汚れた歯が緑がかっているか又は赤味がかっているかに依存して増加又は低減するａ＊値、及び入射光と比較したとき増加するａｂ＊値を有する。これは黄色くなった外観のシミュレートにおいて一般的な関係であるが、もしＬ値の低減の大きさが十分に大きければｂ＊値も低減されてもよい。逆に、ｂ＊値の増加の大きさが十分に大きければＬ値も増加し得る。理解されるように、鏡２０は、スペクトル層２６のＬａ＊ｂ＊値の適切な選択によって白くする工程における増分点などのような歯の色における他の変化をシミュレートするのに使用され得る。
【００１１】
上に示したように、鏡２０の領域２４は、黄色くなった又は汚れた歯をシミュレートするために、好ましくはより大きい正のｂ＊値（すなわち、入射光に関して黄色波長が増加される及び／又は青色波長が低減される）を有する光を反射する。本明細書で使用するとき、語句「より大きい正」及び「より少ない正」は、ＣＩＥ　ＬＡＢ色空間のｂ＊軸に沿った方向をいうことを意図している。このように、より大きい正のｂ＊値は、正の方向においてｂ＊軸に沿って配された値である。好ましくは、鏡２０の領域２４によって反射される光は、図５のスペクトルプロットの１つと実質的に同じである。あるいは、反射光はＬａ＊ｂ＊値に従って特徴づけられ、その場合反射光は約２０〜約１００のＬ値、約−２０〜約２０のａ＊値、及び約−１０〜約５５のａｂ＊値を有する。より好ましくは、Ｌ値は、約２５〜約９８であり、ａ＊値は約−１５〜約１５であり、及びｂ＊値は約−１０〜約３５である。最も好ましくは、Ｌ値は、約３５〜約９５であり、ａ＊値は約−１０〜約１０であり、及びｂ＊値は約−５及〜３５である。さらにより最も好ましくは、Ｌ値は約９３、ａ＊値は約０、及びｂ＊値は約６である。
【００１２】
このように、入射光（ここでは、それぞれ１００、０、及び０のＬａ＊ｂ＊値を有する入射光を想定する）と黄色くなった歯について反射される光との間のＬ、ａ＊、及びｂ＊値（「デルタ」）における変化は、デルタＬ値については約０〜約８０、デルタａ＊値については約−２０〜２０、及びデルタｂ＊については約−５５〜約１０である。より好ましくは、デルタＬ値は、約２〜約７５であり、デルタａ＊値は約−１５〜約１５であり、及びデルタｂ＊値は約−３５〜約１０である。最も好ましくは、デルタＬ値は、約５〜約６５であり、デルタａ＊値は約−１０〜約１０であり、及びデルタｂ＊値は約−３５〜約５である。さらにより最も好ましくは、デルタＬ値は約７、デルタａ＊値は約０、及びデルタｂ＊値は約−６である。
【００１３】
あるいは、鏡２０の領域２４は、白くした歯をシミュレートするために、好ましくはより少ない正のｂ＊値（すなわち、入射光に関して黄色波長が低減される及び／又は青色波長が増加される）を有する光を反射する。より好ましくは、鏡２０の領域２４によって反射される光は、図６のスペクトルプロットの１つと実質的には同じである。あるいは、反射光はＬａ＊ｂ＊値に従って特徴づけられ、その場合反射光は約２０〜約１００の領域のＬ値、約−２０〜約２０の領域のａ＊値、及び約−１０〜約５５の領域のａｂ＊値を有する。より好ましくは、Ｌ値は、約６０〜約９０であり、ａ＊値は約−１５〜約１５であり、及びｂ＊値は約０〜約３５である。最も好ましくは、Ｌ値は、約６５〜約８５であり、ａ＊値は約−１０〜約１０であり、及びｂ＊＊値は約５〜約２５である。さらにより最も好ましくは、Ｌ値は約９２、ａ＊値は約０．５、及びｂ＊値は約３である。
このように、入射光（それぞれ１００、０、及び０のＬａ＊ｂ＊値を有する入射光を想定する）と白くされた歯における反射光との間のＬ、ａ＊、及びｂ＊値（「デルタ」）は、デルタＬ値については０〜約８０、デルタａ＊値については約−２０〜２０、及びデルタｂ＊については−５５〜約１０にある。より好ましくは、デルタＬ値は、約１０〜約４０であり、デルタａ＊値は約−１５〜約１５であり、及びデルタｂ＊値は約−３５〜約０である。最も好ましくは、デルタＬ値は、約１５〜約３５であり、デルタａ＊値は約−１０〜約１０であり、及びデルタｂ＊値は約−２５〜約−５である。さらにより最も好ましくは、デルタＬ値は約８、デルタａ＊値は約０．５、及びデルタｂ＊値は約−３である。
【００１４】
本明細書に記載したスペクトル特性値は、他に記述がなければ、ＡＳＴＭ３０８に従った当業界で既知の分光分析装置を使用して測定される。より好ましくは、分光分析装置はデータカラー・インターナショナル（Ｄａｔａｃｏｌｏｒ Ｉｎｔｅｒｎａｔｉｏｎａｌ）（ニュージャージー州、ローレンスビル）により製造されるマイクロフラッシュ（Ｍｉｃｒｏｆｌａｓｈ）ＭＦ２００、又は同類の分光分析装置である。マイクロフラッシュ（Ｍｉｃｒｏｆｌａｓｈ）ＭＦ２００は、ＣＩＥ出版物第１５．２比色定量に従って照明／８度を拡散する測定外形を有する二対ビームの分光分析装置である。スペクトル領域は、３ｎｍの解像度であり、０〜２００％反射の測定領域である４００〜７００ｎｍである。Ｄ６５（ＣＩＥ）キセノン光源及びＬＡＶ（ラージ・アングル・ビュー（Ｌａｒｇｅ Ａｎｇｌｅ Ｖｉｅｗ））プローブを使用する。ＬＡＶプローブは、測定区域１８ｍｍ及び照射区域２２ｍｍを有する６６ｍｍの球体である。
【００１５】
領域２４は、好ましくは反射層２２に隣接するスペクトル層２６を含む。スペクトル層２６は、歯の色の変化を知覚させるために鏡２０の領域２４に入射する光のスペクトル特性を変化させる。スペクトル層２６は、コーティング、フィルム、又は反射層２２に隣接した他の層の形態で提供され得、フィルム又はコーティングはスペクトル層２６に隣接する反射層２２への光を選択的に透過させる。より好ましくは、スペクトル層２６はフィルターの形態で提供される。入射光に関して、黄色波長が増加された及び／又は青色波長が減少された（すなわち、より大きい正のｂ＊値）反射光を提供するために、イーストマン・コダック社（Ｅａｓｔｍａｎ Ｋｏｄａｋ）（ニューヨーク、ロッチェスター）によって製造されるＮＤ０．１０などのフィルターを使用することができる。黄色波長を増加する及び／又は青色波長を低減するのに好適な代表的なフィルターのスペクトル表示が図５に示されている。入射光に関して、青色波長が増加された及び／又は青色波長が減少された（すなわち、より少ない正のｂ＊値）反射光を提供するために、イーストマン・コダック社（Ｅａｓｔｍａｎ Ｋｏｄａｋ）のＣＣ０５Ｂなどのフィルターを使用することができる。青色波長を増加する及び／又は青色波長を低減するのに好適な代表的なフィルターのスペクトルプロットが図６に示されている。図５及び図６のスペクトル曲線は、約５００ｎｍより大きい波長において最大値（すなわち、変曲点）を有する。より好ましくは、約５５０ｎｍ未満の波長におけるスペクトル曲線の下の区域は、図５のスペクトル曲線より図６のスペクトル曲線のほうが大きい。本発明は本明細書において反射層に隣接するスペクトル層を伴う領域２４を含むものとして記載したが、スペクトル層２６は色の変化を有する歯のイメージを形成する入射光のスペクトル特性を修正するために、反射層２２とともに完全に形成し得ることが理解されるであろう。あるいは、スペクトル層は反射層２２（例えば、ガラス又は銀化表面の部分）内に分散されることができ、それによって分離された及び別個のスペクトル層２６の必要性を除去する。スペクトル層は、接着剤又は他の化学的若しくは機械的留め具などの当業者には既知の手法によって反射層２２に永久的に又は取り外し可能に取り付けることができる。さらに、当該領域の１つ以上を反射装置２０の１つ及び／又は両方の側面に提供することができる。前述から理解されるように、反射及び歯の色の変化を知覚できるようにするための入射光のスペクトル特性における変化の両方を達成するような多くの方法で、領域２４は反射層２２の部分２３に構造的及び／又は機能的に関連する。
【００１６】
本発明の反射装置は、多様な形及び大きさで提供され得る。好ましくは、鏡２０は１つ又は２つの手で簡便に保持される大きさであり、観察者の口の完全なイメージを反射できる。より好ましくは、鏡は約２０ｃｍ未満の長さ及び約２０ｃｍ未満の幅を有する。最も好ましくは、鏡２０は約４ｃｍ〜約１２ｃｍの長さ及び約４ｃｍ〜約１２ｃｍの幅を有する。鏡２０は平面図において実質的に方形であり得るし、又は観察者の口若しくは歯の形で提供され得る。あるいは、反射装置は観察者の口又は歯の形に相当する口の形に切り抜かれ、それを通して鏡２０を見ることのできるハウジングをさらに備えることができる。同様に、領域２４は多様な幾何学的な形で提供され得る。例えば、領域２４は平面図において正方形（例えば、図４参照）、方形、円、又はこれらの組み合わせであることができる。あるいは、鏡１２０について図７で示すように、領域２４は反射層２２（又はその他のスペクトル層）を露出する窓２７を形成するために取り除かれる区画を有することができる。領域２４は、好ましくは約２０ｃｍ未満の長さ及び約２０ｃｍ未満の幅を有する。より好ましくは、領域２４は、好ましくは約１０ｃｍ未満の長さ及び約１０ｃｍ未満の幅を有する。最も好ましくは、領域２４は１つ又は２つの歯に相当する約２ｃｍ未満の長さ及び約２ｃｍ未満の幅を有する。
【００１７】
図８を参照すると、本発明のその他の好ましい実施形態が、第一領域２４Ａ及び第二領域２４Ｂを有する鏡２２０の形態において図示されており、第一領域２４Ａは黄色くなった又は汚れた歯をシミュレートするために入射光より正のｂ＊値を有する光を反射し、第二領域２４Ｂは白くされた歯をシミュレートするために入射光より負のｂ＊値を有する光を反射する。領域２４Ａ及び領域２４Ｂのスペクトル特性は、鏡２０に関して前に議論したように提供され得る。この配置は歯の色の変化をより劇的に例示するのにより有用である。第一領域２４Ａのように、第二領域２４Ｂは、好ましくはフィルターの形態において提供することができるスペクトル層２６Ｂを有する。あるいは、同じ有効性を鏡２０を用いて達成することができ、多くの取り外し可能なフィルターを鏡２０と共に使用する。例えば、１つのフィルターがその他のフィルターより大きい正のｂ＊値を有する反射光を提供し得る。このように、使用者は領域２４によって反射される光の活発な修正をするスペクトル層を形成するフィルターを変えることができ、それによって彼又は彼女の好みによって鏡に生成されるイメージを調整できる。
【００１８】
領域２４Ａの反射光と領域２４Ｂとの反射光の間のＬ、ａ＊、及びｂ＊値（「デルタ」）における変化は、デルタＬ値については約−８０〜約８０、デルタａ＊値については約−４０〜約４０、及びデルタｂ＊値については約−６５〜約６５である。より好ましくは、デルタＬ値は、約−３８〜約６５であり、デルタａ＊値は約−３０〜約３０であり、及びｂ＊値は約−３５〜約４５である。最も好ましくは、デルタＬ値は、約−３０〜約５０であり、デルタａ＊値は約−２０〜約２０であり、及びデルタｂ＊値は約−３０〜約−３０である。さらにより最も好ましくは、デルタＬ値は約１、デルタａ＊値は約０．５、及びデルタｂ＊値は約−２．７である。
【００１９】
本発明の反射装置は、白くする工程のいずれかの時点の歯の色をシミュレートするためのいくつかの領域をさらに含んでもよい。例えば、図９に関して、鏡３２０は第一領域２４Ａ、第二領域２４Ｃ、第三領域２４Ｄ、第四領域２４Ｂ、及び単に観察者の歯の未修正のイメージを反射する反射層２２を含む鏡３２０の部分２５を有する。第一領域２４Ａは、白くする処方計画が完了した後の白くされた歯をシミュレートするために、より少ない正のｂ＊値を有する光を反射するが、第四領域２４Ｂは、白くする以前の黄色くなった歯をシミュレートするために、より大きい正のｂ＊値を有する光を反射する。第二及び第三区域２４Ｃ及び２４Ｄは、白くする処方計画がそれぞれ３分の１及び３分の２完了した後の歯をシミュレートするために、第一及び第四区域２４Ａと２４Ｂとの間のｂ＊値を有する光を反射してもよい。理解されるように、白くする処方計画のいくつかの部分を簡便にシミュレートするのに望ましいように、いくつかの領域を提供及び配置することができる。このように、領域の数は白くする処方計画のそれぞれの週に対応してもよい。さらに、これらの領域は上記で議論されたように、歯の色の変化の簡便な比較のために、それぞれが上顎の歯列及び／又は下顎の歯列を観察者が見ることのできるイメージの一部分に寄与するように、適切な大きさにすることができる。
【００２０】
図９を参照すると、本発明に従って製造されるその他の好ましい鏡４２０が図示される。鏡４２０は反射層１２２を有し、それに入射する光のスペクトル特性を変化させる多くの領域（例えば、２４Ａ、２４Ｂ、及び２４Ｃ）を含むスライド６０の形態における移動可能な部材を有する。光が反射層（例えば、２４Ｃ）と重なる領域を通して反射されるように、反射層１２２の一部分はスライド６０の下に置かれ、それによって歯の色における変化をシミュレートするための光が反射する。異なる領域は、スライド６０を単に移動することによって反射層の上の位置に動かすことができる。移動可能な部材は、本明細書においてスライドとして記載するが、領域２４Ａ〜２４Ｃを有する回転可能なホイールなどの他の移動可能な部材を提供してもよいことが理解されるであろう。回転可能なホイールは反射層１２２の一部分の位置決めで少なくとも１つの領域に位置するように回転する。
【００２１】
図１１及び図１２を参照すると、本発明の反射装置はキオスク、ブース、棚、イーゼルカード、又は小翼ディスプレーなどのディスプレー装置６２に組み込むことができる。鏡２０は、モール又は店を通過する消費者が簡便に観察できるように、フレーム６３、スタンド、又は他の支持構造物に固定して（例えば、当業界で既知の機械的又は化学的締結具によって取り付けられる）、移動可能に（例えば、移動、回転、又はこれらの組み合わせによって）、又は取り外し可能に関連することができる。ディスプレー装置は、販売のためにパッケージされた歯を白くするキット６６を多数保存するための棚６４を含有してもよい。１つのかかる歯を白くするシステムが、米国特許第５，８９１，４５３号、題名「低屈曲剛性を有するストリップを使用する歯白化剤の運搬システム（Ｄｅｌｉｖｅｒｙ Ｓｙｓｔｅｍ Ｆｏｒ Ａ Ｔｏｏｔｈ Ｗｈｉｔｅｎｅｒ Ｕｓｉｎｇ Ａ Ｓｔｒｉｐ Ｈａｖｉｎｇ Ｌｏｗ Ｆｌｅｘｕｒａｌ Ｓｔｉｆｆｎｅｓｓ）」に記載されており、その物質を完全に本明細書に参考として組み込む。これは本発明の使用に好ましい歯を白くするシステムであるが、歯を白くする他のシステムも使用できる。例えば、歯を白くする他の組成物及び／又は送致システム（受け皿、注射器、口保護具）を歯を白くするシステムの一部分として利用してもよい。本発明による反射装置も、ディスプレー装置６２は別として、上記した歯を白くするキットと共に配置されてもよい。
【００２２】
反射装置は、反射層及びスペクトル層を有するものとして本明細書に記載したが、本発明のその他の好ましい実施形態は、反射層及びスペクトル層の機能の一部又は全てを置き替える光源を有し、その光源は以前に記載したＬａ＊ｂ＊値を有する光を放射するか、又は光源は反射装置と共にそのＬａ＊ｂ＊値を提供する。白くする以前、間、又は以後の観察者の歯の色をシミュレートする鏡から反射されるように、簡単に見ることのできる上顎及び／又は下顎の歯列を照らすために、光源は観察者の十分近くに置かれる。上記光源はディスプレー装置６２に組み込まれるか、又は光源は別のキットとして鏡と共に、任意選択的に以前に記載した歯を白くするシステムの１つと組み合わせて提供されてよい。上記光源は、歯の色の変化をシミュレートするためのＬａ＊ｂ＊値を有する照明を提供するための、フィルターの形態における複数の交換可能なスペクトル層を含有してもよい。あるいは、複数の光源（例えば、異なる放出特性を有する複数の光バルブ）が提供されてもよい。このように、歯の色における変化をシミュレートするための本発明の装置の反射層と協同できる多数の方法（例えば、完全な及び／又は分散スペクトル層、光源、フィルター、コーティングなど）を本明細書に記載してきた。
【００２３】
本発明の特定の実施様態について図示し記載してきたが、本発明の精神及び目的から逸脱することなく、様々な変更及び修正をし得ることは当業者には明白であり、本発明の適用領域内のすべての修正を、添付の請求項に含むことを意図している。
【図面の簡単な説明】
本明細書では、本発明を特に指摘し明確に請求する請求項を記載するが、本発明は、添付図面と連係してなされる下記の説明から一層理解されると考えられる。
【図１】代表的なスペクトル分布の模式図である。
【図２】１９３１　ＣＩＥ　ＸＹＺ色度図の模式図である。
【図３】１９７６　ＣＩＥ　ＬＡＢ色空間の模式図である。
【図４】本発明に従って製造される好ましい反射装置の透視図である。
【図５】本発明に従って製造されるその他の好ましい反射装置の透視図である。
【図６】黄色い又は汚れた歯をシミュレートする本発明に従って製造される鏡の１つの領域のスペクトルプロットである。
【図７】白くされた歯をシミュレートする本発明に従って製造される鏡の１つの領域のスペクトルプロットである。
【図８】本発明に従って製造されるさらにその他の好ましい反射装置の透視図である。
【図９】本発明に従って製造される一層好ましいその他の反射装置の透視図である。
【図１０】本発明に従って製造されるさらに一層好ましいその他の反射装置である。
【図１１】本発明に従って製造される代表的なディスプレー装置の正面図である。
【図１２】図１１のディスプレー装置の側面図である。
【図１】
2004506459.tif 000003
【図２】
2004506459.tif 000004
【図３】
2004506459.tif 000005
【図４】
2004506459.tif 000006
【図５】
2004506459.tif 000007
【図６】
2004506459.tif 000008
【図７】
2004506459.tif 000009
【図８】
2004506459.tif 000010
【図９】
2004506459.tif 000011
【図１０】
2004506459.tif 000012
【図１１】
2004506459.tif 000013
【図１２】
2004506459.tif 000014
【国際公開パンフレット】
2004506459.tif 000015
2004506459.tif 000016
2004506459.tif 000017
2004506459.tif 000018
2004506459.tif 000019
2004506459.tif 000020
2004506459.tif 000021
2004506459.tif 000022
2004506459.tif 000023
2004506459.tif 000024
2004506459.tif 000025
2004506459.tif 000026
2004506459.tif 000027
2004506459.tif 000028
2004506459.tif 000029
2004506459.tif 000030
2004506459.tif 000031
2004506459.tif 000032
2004506459.tif 000033
2004506459.tif 000034
2004506459.tif 000035
2004506459.tif 000036
2004506459.tif 000037
2004506459.tif 000038
2004506459.tif 000039
2004506459.tif 000040
2004506459.tif 000041
【国際公開パンフレット（コレクトバージョン）】
2004506459.tif 000042
【国際調査報告】
2004506459.tif 000043
2004506459.tif 000044
2004506459.tif 000045